(57)【特許請求の範囲】
【請求項１】
空調対象室と、
該空調対象室の床下に配され、床を通して前記空調対象室の内部へ調和処理された空気を吹き出す床下吹出室と、
該床下吹出室に外気を導入する外気取入口と、
該外気取入口から前記床下吹出室へ導入する外気にミストを吹き付ける第１のミスト吹付装置と、
前記空調対象室の空気を外部に排出する排気口と、
前記空調対象室の壁の外側に配され、上部連通口により前記空調対象室の上部空間に連通し且つ下部連通口により前記床下吹出室に連通し、前記上部連通口を通して前記空調対象室から排出されてくる空気を前記下部連通口を通して前記床下吹出室にリターンさせるリターンチャンバと、
該リターンチャンバを通過するリターン空気にミストを吹き付ける第２のミスト吹付装置と、
を備え、
前記外気取入口から外気を前記床下吹出室に導入し、前記空調対象室から排出される空気のうち、前記外気取入口から導入した外気の量に見合った量の空気を前記排気口を通して外部に排出すると共に、残りの空気を前記リターンチャンバを通して前記床下吹出室にリターンさせ、そのリターン空気に前記第２のミスト吹付装置によりミストを吹き付ける第１の運転モードと、
前記外気取入口から外気を前記床下吹出室に導入し、導入する外気に前記第１のミスト吹付装置によりミストを吹き付けると共に、前記空調対象室から排出される空気の全量を前記排気口を通して外部に排出する第２の運転モードと、
を択一的に選択する運転モード選択手段を備えることを特徴とする空調設備。
【請求項２】
空調対象室と、
該空調対象室の床下に配され、床を通して前記空調対象室の内部へ調和処理された空気を吹き出す床下吹出室と、
該床下吹出室に外気を導入する外気取入口と、
該外気取入口から前記床下吹出室へ導入する外気にミストを吹き付ける第１のミスト吹付装置と、
前記空調対象室の空気を外部に排出する排気口と、
前記空調対象室の壁の外側に配され、上部連通口により前記空調対象室の上部空間に連通し且つ下部連通口により前記床下吹出室に連通し、前記上部連通口を通して前記空調対象室から排出されてくる空気を前記下部連通口を通して前記床下吹出室にリターンさせるリターンチャンバと、
該リターンチャンバを通過するリターン空気にミストを吹き付ける第２のミスト吹付装置と、
を備え、
前記外気取入口が前記リターンチャンバの下部の壁に開口され、前記排気口が前記リターンチャンバの上部の壁に開口され、
前記第１のミスト吹付装置が、前記リターンチャンバと前記床下吹出室とを連通する下部連通口より上流側の前記外気取入口の直後に配置され、
前記第２のミスト吹付装置が、前記リターンチャンバの上部と下部の中間に配置され、
さらに、前記リターンチャンバと前記床下吹出室とを連通する下部連通口の付近に除湿材の除湿位置が設定されて該除湿位置に通過空気を除湿するための除湿材が配置され、
また、前記リターンチャンバと前記空調対象室とを連通する上部連通口の付近に除湿材の再生位置が設定されて該再生位置に通過空気により除湿機能の再生が行われる除湿材が配されている、
ことを特徴とする空調設備。
【請求項３】
前記外気取入口から外気を前記床下吹出室に導入し、前記空調対象室から排出される空気のうち、前記外気取入口から導入した外気の量に見合った量の空気を前記排気口を通して外部に排出すると共に、残りの空気を前記リターンチャンバを通して前記床下吹出室にリターンさせ、そのリターン空気に前記第２のミスト吹付装置によりミストを吹き付ける第１の運転モードと、
前記外気取入口から外気を前記床下吹出室に導入し、導入する外気に前記第１のミスト吹付装置によりミストを吹き付けると共に、前記空調対象室から排出される空気の全量を前記排気口を通して外部に排出する第２の運転モードと、
を択一的に選択する運転モード選択手段を備えることを特徴とする請求項２に記載の空調設備。
【請求項４】
空調対象室と、
該空調対象室の床下に配され、床を通して前記空調対象室の内部へ調和処理された空気を吹き出す床下吹出室と、
該床下吹出室に外気を導入する外気取入口と、
該外気取入口から前記床下吹出室へ導入する外気にミストを吹き付ける第１のミスト吹付装置と、
前記空調対象室の空気を外部に排出する排気口と、
前記空調対象室の壁の外側に配され、上部連通口により前記空調対象室の上部空間に連通し且つ下部連通口により前記床下吹出室に連通し、前記上部連通口を通して前記空調対象室から排出されてくる空気を前記下部連通口を通して前記床下吹出室にリターンさせるリターンチャンバと、
該リターンチャンバを通過するリターン空気にミストを吹き付ける第２のミスト吹付装置と、
を備え、
前記第２のミスト吹付装置を備えたリターンチャンが第１のリターンチャンバとされ、
前記空調対象室の壁の外側に、前記第１のリターンチャンバとは別に、上部連通口により前記空調対象室の上部空間に連通し且つ下部連通口により前記床下吹出室に連通し、前記上部連通口を通して前記空調対象室から排出される空気を前記下部連通口を通して前記床下吹出室にリターンさせる第２のリターンチャンバが設けられ、
該第２のリターンチャンバに、前記上部連通口を通して前記空調対象室から排出される空気を調和処理した上で前記下部連通口を通して前記床下吹出室に送出する空調機が配置され、
前記第２のリターンチャンバと前記床下吹出室とを連通する下部連通口の付近に除湿材の除湿位置が設定されて該除湿位置に通過空気を除湿するための除湿材が配置され、
前記第２のリターンチャンバと前記空調対象室とを連通する上部連通口の付近に除湿材の再生位置が設定されて該再生位置に通過空気により除湿機能の再生が行われる除湿材が配されている、
ことを特徴とする空調設備。
【請求項５】
前記外気取入口から外気を前記床下吹出室に導入し、前記空調対象室から排出される空気のうち、前記外気取入口から導入した外気の量に見合った量の空気を前記排気口を通して外部に排出すると共に、残りの空気を前記第１のリターンチャンバを通して前記床下吹出室にリターンさせ、そのリターン空気に前記第２のミスト吹付装置によりミストを吹き付ける第１の運転モードと、
前記外気取入口から外気を前記床下吹出室に導入し、導入する外気に前記第１のミスト吹付装置によりミストを吹き付けると共に、前記空調対象室から排出される空気のうち、前記外気取入口から導入した外気の量に見合った量の空気を前記排気口を通して外部に排出し、残りの空気を前記第２のリターンチャンバを通して前記空調機により調和処理しながら前記床下吹出室にリターンさせ、その際、前記第２のリターンチャンバの下部連通口に配した除湿材により通過空気を除湿し、前記第２のリターンチャンバの上部連通口に配した除湿材の除湿機能を通過空気により再生させる第２の運転モードと、
を択一的に選択する運転モード選択手段を備えることを特徴とする請求項４に記載の空調設備。
【請求項６】
前記空調対象室が平面視長方形の部屋として構成され、前記空調対象室の一方の対向２壁の外側に前記第１のリターンチャンバが設けられると共に、前記空調対象室の他方の対向２壁の外側に前記第２のリターンチャンバが設けられ、
前記外気取入口が前記第１のリターンチャンバの下部の壁に開口され、前記排気口が前記第１のリターンチャンバの上部の壁に開口され、
前記第１のミスト吹付装置が、前記第１のリターンチャンバと前記床下吹出室とを連通する下部連通口より上流側の前記外気取入口の直後に配置され、
前記第２のミスト吹付装置が、前記リターンチャンバの上部と下部の中間に配置されており、
前記第１のリターンチャンバの下部連通口を通過した空気と前記第２のリターンチャンバの下部連通口を通過した空気とが前記床下吹出室で混合された上で前記空調対象室に吹き出されることを特徴とする請求項４または５に記載の空調設備。
【請求項７】
前記除湿位置にある除湿材と前記再生位置にある除湿材とが、相互に位置を交換できるように配されていることを特徴とする請求項２〜６のいずれか一項に記載の空調設備。
【請求項８】
前記除湿材が高分子収集材よりなることを特徴とする請求項７に記載の空調設備。
【請求項９】
前記空調対象室が、サーバー等の高発熱の電子機器が設置されたデータセンターのコンピュータ室であることを特徴とする請求項１〜８のいずれか一項に記載の空調設備。
【発明の詳細な説明】
【技術分野】
【０００１】
本発明は、例えば、サーバー等の高発熱の電子装置が多数設置されたデータセンターのコンピュータ室のような部屋を空調するのに適した空調設備に関する。
【背景技術】
【０００２】
従来のデータセンターのコンピュータ室の空調設備においては、一般的に、空気調和機からの冷気を床下からサーバー等のラックに送風し、天井からの排気を空気調和機に循環させている。この際、サーバー等は年間を通して非常に大きな発熱があるため、冷却するための多大なエネルギーを空気調和機に投入する必要があった。
【０００３】
この空気調和機に投入するエネルギーの削減のために、外気冷房を有効活用することが注目されており、特許文献１にその一例が示されている。この特許文献１に記載の空調設備では、戸外から外気を取り入れ、取り入れた外気を冷却コイルや加湿器で調和処理した上で、室内に吹き出している。また、外気条件がコンピュータ室に適合する場合は、そのままコンピュータ室に外気を導入して戸外に排出するようにしている。
【先行技術文献】
【特許文献】
【０００４】
【特許文献１】特開２０１０ー２６１６９６号公報
【発明の概要】
【発明が解決しようとする課題】
【０００５】
ところで、コンピュータ室の空調を行う場合は、温度の他に特に湿度を適切に管理する必要がある。湿度が高すぎると結露や電気回路の短絡といった問題が生じるおそれがあり、また、湿度が低過ぎると静電気による障害が生じるおそれがあるからである。しかし、上述した特許文献１に記載の空調設備では、外気冷房を有効活用して省エネを図りながら、湿度をうまく適正に制御することが難しいという問題があった。
【０００６】
本発明は、上記事情を考慮し、外気冷房を有効利用することで省エネを図りつつ、湿度の管理を容易に適切に行うことのできる空調設備を提供することを目的とする。
【課題を解決するための手段】
【０００７】
上記課題を解決するために、請求項１の発明の空調設備は、空調対象室と、該空調対象室の床下に配され、床を通して前記空調対象室の内部へ調和処理された空気を吹き出す床下吹出室と、該床下吹出室に外気を導入する外気取入口と、該外気取入口から前記床下吹出室へ導入する外気にミストを吹き付ける第１のミスト吹付装置と、前記空調対象室の空気を外部に排出する排気口と、前記空調対象室の壁の外側に配され、上部連通口により前記空調対象室の上部空間に連通し且つ下部連通口により前記床下吹出室に連通し、前記上部連通口を通して前記空調対象室から排出されてくる空気を前記下部連通口を通して前記床下吹出室にリターンさせるリターンチャンバと、該リターンチャンバを通過するリターン空気にミストを吹き付ける第２のミスト吹付装置と、を備え、前記外気取入口から外気を前記床下吹出室に導入し、前記空調対象室から排出される空気のうち、前記外気取入口から導入した外気の量に見合った量の空気を前記排気口を通して外部に排出すると共に、残りの空気を前記リターンチャンバを通して前記床下吹出室にリターンさせ、そのリターン空気に前記第２のミスト吹付装置によりミストを吹き付ける第１の運転モードと、前記外気取入口から外気を前記床下吹出室に導入し、導入する外気に前記第１のミスト吹付装置によりミストを吹き付けると共に、前記空調対象室から排出される空気の全量を前記排気口を通して外部に排出する第２の運転モードと、を択一的に選択する運転モード選択手段を備えることを特徴とする。
【０００８】
請求項２の発明は、空調対象室と、該空調対象室の床下に配され、床を通して前記空調対象室の内部へ調和処理された空気を吹き出す床下吹出室と、該床下吹出室に外気を導入する外気取入口と、該外気取入口から前記床下吹出室へ導入する外気にミストを吹き付ける第１のミスト吹付装置と、前記空調対象室の空気を外部に排出する排気口と、前記空調対象室の壁の外側に配され、上部連通口により前記空調対象室の上部空間に連通し且つ下部連通口により前記床下吹出室に連通し、前記上部連通口を通して前記空調対象室から排出されてくる空気を前記下部連通口を通して前記床下吹出室にリターンさせるリターンチャンバと、該リターンチャンバを通過するリターン空気にミストを吹き付ける第２のミスト吹付装置と、を備え、前記外気取入口が前記リターンチャンバの下部の壁に開口され、前記排気口が前記リターンチャンバの上部の壁に開口され、前記第１のミスト吹付装置が、前記リターンチャンバと前記床下吹出室とを連通する下部連通口より上流側の前記外気取入口の直後に配置され、前記第２のミスト吹付装置が、前記リターンチャンバの上部と下部の中間に配置され、さらに、前記リターンチャンバと前記床下吹出室とを連通する下部連通口の付近に除湿材の除湿位置が設定されて該除湿位置に通過空気を除湿するための除湿材が配置され、また、前記リターンチャンバと前記空調対象室とを連通する上部連通口の付近に除湿材の再生位置が設定されて該再生位置に通過空気により除湿機能の再生が行われる除湿材が配されていることを特徴とする。
【０００９】
請求項３の発明は、請求項２に記載の空調設備において、前記外気取入口から外気を前記床下吹出室に導入し、前記空調対象室から排出される空気のうち、前記外気取入口から導入した外気の量に見合った量の空気を前記排気口を通して外部に排出すると共に、残りの空気を前記リターンチャンバを通して前記床下吹出室にリターンさせ、そのリターン空気に前記第２のミスト吹付装置によりミストを吹き付ける第１の運転モードと、前記外気取入口から外気を前記床下吹出室に導入し、導入する外気に前記第１のミスト吹付装置によりミストを吹き付けると共に、前記空調対象室から排出される空気の全量を前記排気口を通して外部に排出する第２の運転モードと、を択一的に選択する運転モード選択手段を備えることを特徴とする。
【００１０】
請求項４の発明は、空調対象室と、該空調対象室の床下に配され、床を通して前記空調対象室の内部へ調和処理された空気を吹き出す床下吹出室と、該床下吹出室に外気を導入する外気取入口と、該外気取入口から前記床下吹出室へ導入する外気にミストを吹き付ける第１のミスト吹付装置と、前記空調対象室の空気を外部に排出する排気口と、前記空調対象室の壁の外側に配され、上部連通口により前記空調対象室の上部空間に連通し且つ下部連通口により前記床下吹出室に連通し、前記上部連通口を通して前記空調対象室から排出されてくる空気を前記下部連通口を通して前記床下吹出室にリターンさせるリターンチャンバと、該リターンチャンバを通過するリターン空気にミストを吹き付ける第２のミスト吹付装置と、を備え、前記第２のミスト吹付装置を備えたリターンチャンバが第１のリターンチャンバとされ、前記空調対象室の壁の外側に、前記第１のリターンチャンバとは別に、上部連通口により前記空調対象室の上部空間に連通し且つ下部連通口により前記床下吹出室に連通し、前記上部連通口を通して前記空調対象室から排出される空気を前記下部連通口を通して前記床下吹出室にリターンさせる第２のリターンチャンバが設けられ、該第２のリターンチャンバに、前記上部連通口を通して前記空調対象室から排出される空気を調和処理した上で前記下部連通口を通して前記床下吹出室に送出する空調機が配置され、前記第２のリターンチャンバと前記床下吹出室とを連通する下部連通口の付近に除湿材の除湿位置が設定されて該除湿位置に通過空気を除湿するための除湿材が配置され、前記第２のリターンチャンバと前記空調対象室とを連通する上部連通口の付近に除湿材の再生位置が設定されて該再生位置に通過空気により除湿機能の再生が行われる除湿材が配されていることを特徴とする。
【００１１】
請求項５の発明は、請求項４に記載の空調設備において、前記外気取入口から外気を前記床下吹出室に導入し、前記空調対象室から排出される空気のうち、前記外気取入口から導入した外気の量に見合った量の空気を前記排気口を通して外部に排出すると共に、残りの空気を前記第１のリターンチャンバを通して前記床下吹出室にリターンさせ、そのリターン空気に前記第２のミスト吹付装置によりミストを吹き付ける第１の運転モードと、前記外気取入口から外気を前記床下吹出室に導入し、導入する外気に前記第１のミスト吹付装置によりミストを吹き付けると共に、前記空調対象室から排出される空気のうち、前記外気取入口から導入した外気の量に見合った量の空気を前記排気口を通して外部に排出し、残りの空気を前記第２のリターンチャンバを通して前記空調機により調和処理しながら前記床下吹出室にリターンさせ、その際、前記第２のリターンチャンバの下部連通口に配した除湿材により通過空気を除湿し、前記第２のリターンチャンバの上部連通口に配した除湿材の除湿機能を通過空気により再生させる第２の運転モードと、を択一的に選択する運転モード選択手段を備えることを特徴とする。
【００１２】
請求項６の発明は、請求項４または５に記載の空調設備において、前記空調対象室が平面視長方形の部屋として構成され、前記空調対象室の一方の対向２壁の外側に前記第１のリターンチャンバが設けられると共に、前記空調対象室の他方の対向２壁の外側に前記第２のリターンチャンバが設けられ、前記外気取入口が前記第１のリターンチャンバの下部の壁に開口され、前記排気口が前記第１のリターンチャンバの上部の壁に開口され、前記第１のミスト吹付装置が、前記第１のリターンチャンバと前記床下吹出室とを連通する下部連通口より上流側の前記外気取入口の直後に配置され、前記第２のミスト吹付装置が、前記リターンチャンバの上部と下部の中間に配置されており、前記第１のリターンチャンバの下部連通口を通過した空気と前記第２のリターンチャンバの下部連通口を通過した空気とが前記床下吹出室で混合された上で前記空調対象室に吹き出されることを特徴とする。
【００１３】
請求項７の発明は、請求項２〜６のいずれか１項に記載の空調設備において、前記除湿位置にある除湿材と前記再生位置にある除湿材とが、相互に位置を交換できるように配されていることを特徴とする。
【００１４】
請求項８の発明は、請求項７に記載の空調設備において、前記除湿材が高分子収集材よりなることを特徴とする。
【００１５】
請求項９の発明は、請求項１〜８のいずれか１項に記載の空調設備において、前記空調対象室が、サーバー等の高発熱の電子機器が設置されたデータセンターのコンピュータ室であることを特徴とする。
【発明の効果】
【００１６】
請求項１の発明によれば、外気取入口から床下吹出室へ導入する外気に第１のミスト吹付装置によりミストを吹き付けることによって、導入する外気を加湿冷却することができるので、特に夏期において外気冷房の効果を有効に発揮することができて、省エネを図ることができる。また、空調対象室から排出された温度の高いリターン空気に対して第２のミスト吹付装置によりミストを吹き付けることによって、加湿効率を高めることができるので、特に冬期において空調対象室の湿度を良好に保つことができる。
また、冬期と夏期に運転モードを切り替えることにより、通年にわたり外気冷房の効果を発揮することができて、省エネを図ることができる。即ち、冬期や中間期の一部では、第１の運転モードを選択する。そうすることにより、外気取入口から乾燥した低温の外気を床下吹出室に導入し、導入外気量に見合った量の空気を排気口から排出する。また、残りの空気をリターンチャンバを通して床下吹出室にリターンし、リターン空気に第２のミスト吹付装置からミストを吹き付けることにより、加湿と冷却を行う。この際、温度の高いリターン空気にミストを吹き付けるので、加湿効率を高めることができ、空調対象室の温度と湿度を良好に保つことができる。また、夏期と中間期の一部では、第２の運転モードを選択する。そうすることにより、外気取入口から外気を床下吹出室に導入し、その導入する外気に第１のミスト吹付装置からミストを吹き付けて外気を加湿冷却し、空調対象室からの排気はリターンせずに全量を屋外に排出する。このように、ミストの吹き付けにより冷却効果を発揮するので、省エネを図ることができる。
【００１７】
請求項２の発明によれば、外気取入口がリターンチャンバの下部の壁に開口しているので、リターンチャンバを通って来たリターン空気と外気取入口から導入する外気を、リターンチャンバの下部空間で混合しながら床下吹出室に導入することができる。その際、主に夏場においては、外気取入口の直後に配置した第１のミスト吹付装置により、導入した外気に対してミストを吹き付けることで、外気を加湿冷却することができる。また、排気口がリターンチャンバの上部の壁に開口しているので、空調対象室から排出されて来た空気を排気口から排出する排気とリターン空気とに分流し、リターン空気をリターンチャンバに流通させることができる。その際、主に冬場においては、リターンチャンバの上部と下部の中間に配置した第２のミスト吹付装置により、温度の高いリターン空気に対してミストを吹き付けることで、効率よくリターン空気を加湿冷却することができる。また、第１または第２のミスト吹付装置によって加湿された空気は、下部連通口の付近にある除湿材によって除湿された上で床下吹出室に導入されるので、良好な湿度に保たれた調和処理空気を空調対象室に給気することができる。また、空調対象室から排出される温度の高い空気は、上部連通口の付近の再生位置に配置された除湿材を通過するので、除湿材の除湿機能を再生させることができる。
【００１８】
請求項３の発明によれば、冬期と夏期に運転モードを切り替えることにより、通年にわたり外気冷房の効果を発揮することができて、省エネを図ることができる。即ち、冬期や中間期の一部では、第１の運転モードを選択する。そうすることにより、外気取入口から乾燥した低温の外気を床下吹出室に導入し、導入外気量に見合った量の空気を排気口から排出する。また、残りの空気をリターンチャンバを通して床下吹出室にリターンし、リターン空気に第２のミスト吹付装置からミストを吹き付けることにより、加湿と冷却を行う。この際、温度の高いリターン空気にミストを吹き付けるので、加湿効率を高めることができ、空調対象室の温度と湿度を良好に保つことができる。また、夏期と中間期の一部では、第２の運転モードを選択する。そうすることにより、外気取入口から外気を床下吹出室に導入し、その導入する外気に第１のミスト吹付装置からミストを吹き付けて外気を加湿冷却し、空調対象室からの排気はリターンせずに全量を屋外に排出する。このように、ミストの吹き付けにより冷却効果を発揮するので、省エネを図ることができる。
【００１９】
請求項４の発明によれば、ミスト吹付装置を備えた第１のリターンチャンバとは別に、空調機を備えた第２のリターンチャンバが設けられており、その第２のリターンチャンバの下部連通口の付近に除湿材が配置されているので、例えば、夏期において、空調機により調和処理し除湿したリターン空気と、第１のミスト吹付装置によるミストの吹き付けにより加湿冷却された外気とを床下吹出室で混合しながら、空調対象室に給気することができる。また、空調対象室から第２のリターンチャンバに排出される温度の高い空気は、上部連通口の付近の再生位置に配置された除湿材を通過するので、除湿材の除湿機能を再生させることができる。
【００２０】
請求項５の発明によれば、冬期と夏期に運転モードを切り替えることにより、通年にわたり外気冷房の効果を発揮することができて、省エネを図ることができる。即ち、冬期や中間期の一部では、第１の運転モードを選択する。そうすることにより、外気取入口から乾燥した低温の外気を床下吹出室に導入し、導入外気量に見合った量の空気を排気口から排出する。また、残りの空気をリターンチャンバを通して床下吹出室にリターンし、リターン空気に第２のミスト吹付装置からミストを吹き付けることにより、加湿と冷却を行う。この際、温度の高いリターン空気にミストを吹き付けるので、加湿効率を高めることができ、空調対象室の温度と湿度を良好に保つことができる。また、夏期と中間期の一部では、第２の運転モードを選択する。そうすることにより、外気取入口から外気を床下吹出室に導入し、その導入する外気に第１のミスト吹付装置からミストを吹き付けて外気を加湿冷却する。このようにミストの吹き付けにより冷却効果を発揮するので、省エネを図ることができる。また、空調対象室からの排気のうち、外気取入口から導入した外気の量に見合った量の空気を排気口を通して外部に排出し、残りの空気を第２のリターンチャンバを通して空調機により調和処理しながら床下吹出室にリターンさせる。その際、第２のリターンチャンバの下部連通口に配した除湿材により通過空気を除湿し、第２のリターンチャンバの上部連通口に配した除湿材の除湿機能を通過空気により再生させる。こうすることにより、外気冷房では足りない能力を空調機で補うことができ、空調対象室を良好な温湿度環境に保つことができる。
【００２１】
請求項６の発明によれば、平面視長方形の空調対象室の一方の対向２壁の外側に外気冷房用の第１のリターンチャンバを配置し、他方の対向２壁の外側に空調機を備えた第２のリターンチャンバを配置し、第１のリターンチャンバと第２のリターンチャンバを経由するリターン空気や外気を床下吹出室で合流させるので、外気冷房を有効に活用しながら不足する冷房分を空調機で補うことができる。
【００２２】
請求項７の発明によれば、除湿位置に配する除湿材と再生位置に配する除湿材を交換できるようしたので、除湿能力が飽和した除湿材を再生位置に配置し、既に再生位置に配することで除湿能力が再生した除湿材を除湿位置に配置することができ、それにより常に除湿能力を継続して発揮させることができる。
【００２３】
請求項８の発明によれば、シリカゲルやゼオライト等に比べて低温再生性に優れた高分子収集材を除湿材として用いたので、空調対象室から排出される高めの温度の排気によって十分に除湿機能を再生させることができる。
【００２４】
請求項９の発明によれば、発熱度の高いサーバー等の電子機器が多数設置されたコンピュータ室の内部を、外気冷房を有効活用することにより、省エネを図りながら適切な稼働環境に保つことができる。
【図面の簡単な説明】
【００２５】
【図１】本発明の第１実施形態の空調設備の構成と空気の流れを示す図で、（ａ）は主に冬期に実行される第１の運転モード時の空気の流れを矢印で示す側面図、（ｂ）は主に夏期に実行される第２の運転モード時の空気の流れを矢印で示す側面図である。
【図２】本発明の第２実施形態の空調設備の構成と空気の流れを示す図で、（ａ）は空調設備の平面図、（ｂ）および（ｃ）は（ａ）のＩＩｂｃ−ＩＩｂｃ矢視断面図で、（ｂ）は主に冬期に実行される第１の運転モード時の空気の流れを矢印で示す図、（ｂ）は主に夏期に実行される第２の運転モード時の空気の流れを矢印で示す図である。
【図３】第２実施形態の作用説明に使用する空気線図である。
【発明を実施するための形態】
【００２６】
以下、本発明の実施形態を図面を参照して説明する。
＜第１実施形態＞
図１は第１実施形態の空調設備の構成と空気の流れを示す図で、（ａ）は主に冬期に実行される第１の運転モード時の空気の流れを矢印で示す側面図、（ｂ）は主に夏期に実行される第２の運転モード時の空気の流れを矢印で示す側面図である。
【００２７】
この空調設備は、サーバー等の高発熱の電子機器が設置されたデータセンターのコンピュータ室である空調対象室（以下、「サーバー室」という）１０と、サーバー室１０の床１０Ｆの下に配され、床１０Ｆを通してサーバー室１０の内部へ調和処理した空気を吹き出す床下吹出室１１と、床下吹出室１１に外気を導入する外気取入口１３と、外気取入口１３から床下吹出室１１へ導入する外気にミストを吹き付ける第１のミスト吹付装置（第１のミストノズル）２１と、サーバー室１０の空気を外部に排出する排気口１４と、サーバー室１０の壁１０Ｗの外側に配され、上部連通口１５によりサーバー室１０の上部空間に連通し且つ下部連通口１６により床下吹出室１１に連通し、上部連通口１５を通してサーバー室１０から排出されてくる空気を下部連通口１６を通して床下吹出室にリターンさせるリターンチャンバ１２と、リターンチャンバ１２を通過するリターン空気にミストを吹き付ける第２のミスト吹付装置（第２のミストノズル）２２と、を備えている。
【００２８】
サーバー室１０の内部には、間隔をおいて複数のサーバーラック１が配列され、サーバーラック１間には、サーバーを冷却する調和処理した空気が流れるコールドアイル２と、サーバー冷却後の調和処理した空気が流れるホットアイル３とが確保されている。また、サーバー室１０の床１０Ｆは、床下吹出室１１からの風が吹き抜けるよう通風性が確保されている。また、ミスト吹付装置２１、２２は、通過空気に対してミクロンレベルの水蒸気ミストを吹き付けることができるようになっている。
【００２９】
外気取入口１３はリターンチャンバ１２の下部の壁に開口され、排気口１４はリターンチャンバ１２の上部の壁に開口されている。第１のミスト吹付装置２１は、リターンチャンバ１２と床下吹出室１１とを連通する下部連通口１６より上流側の外気取入口１３の直後に配置され、第２のミスト吹付装置２２は、リターンチャンバ１２の上部と下部の中間に配置されている。
【００３０】
また、リターンチャンバ１２と床下吹出室１１とを連通する下部連通口１６の付近に除湿材の除湿位置１８Ａが設定されており、その除湿位置１８Ａに、通過空気を除湿するための除湿材１７が配置されている。また、リターンチャンバ１２とサーバー室１０とを連通する上部連通口１５の付近に除湿材の再生位置１８Ｂが設定されており、その再生位置１８Ｂに通過空気により除湿機能の再生が行われる除湿材１７が配されている。２つの除湿材１７は、例えば、それぞれ上下方向に延びるガイド１８に沿って上下方向に移動できるようになっており、一方の除湿材１７を除湿位置１８Ａに移動すると、他方の除湿材１７が再生位置１８Ｂに移動し、一方の除湿材１７を再生位置１８Ｂに移動すると、他方の除湿材１７が除湿位置１８Ａに移動し、相互に位置を交換できるようになっている。なお、除湿材１７としては、低温再生性の優れた高分子収集材が採用されている。この高分子収集材は、例えば２０℃〜８０℃の温度で除湿機能を再生することができるものであり、コンピュータ室のような高温環境を冷却した後の排気で十分に除湿機能を回復することができる。
【００３１】
また、この空調設備には、次の第１の運転モードと第２の運転モードを択一的に切り替える運転モード選択手段が備わっている。
即ち、図１（ａ）に示す冬期や一部の中間期に実施する第１運転モードでは、外気取入口１３から外気を床下吹出室１１に導入し、サーバー室１０から排出される空気のうち、外気取入口１３から導入した外気の量に見合った量の空気を排気口１４を通して外部に排出すると共に、残りの空気をリターンチャンバ１２を通して床下吹出室１１にリターンさせ、そのリターン空気に第２のミスト吹付装置２２によりミストを吹き付ける。また、図１（ｂ）に示す夏期や一部の中間期に実施する第２の運転モードでは、外気取入口１３から外気を床下吹出室１１に導入し、導入する外気に第１のミスト吹付装置２１によりミストを吹き付けると共に、サーバー室１０から排出される空気の全量を排気口１４を通して外部に排出する。
【００３２】
このように、冬期と夏期に運転モードを切り替えることにより、通年にわたり外気冷房の効果を発揮することができて、省エネを図ることができる。即ち、冬期や中間期の一部では、第１の運転モードを選択することにより、外気取入口１３から乾燥した低温の外気を床下吹出室１１に導入し、導入外気量に見合った量の空気を排気口１４から排出する。また、残りの空気をリターンチャンバ１２を通して床下吹出室１１にリターンし、リターン空気に第２のミスト吹付装置２２からミストを吹き付けることにより、加湿と冷却を行う。この際、温度の高いリターン空気にミストを吹き付けるので、加湿効率を高めることができ、サーバー室１０の温度と湿度を良好に保つことができる。また、夏期と中間期の一部では、第２の運転モードを選択することにより、外気取入口１３から外気を床下吹出室１１に導入し、その導入する外気に第１のミスト吹付装置２１からミストを吹き付けて外気を加湿冷却し、サーバー室１０からの排気はリターンせずに全量を屋外に排出する。
【００３３】
従って、外気取入口１３から床下吹出室１１へ導入する外気に第１のミスト吹付装置２１によりミストを吹き付けることによって、導入する外気を加湿冷却することができるので、特に夏期において外気冷房の効果を有効に発揮することができて、省エネを図ることができる。また、サーバー室１０から排出された温度の高いリターン空気に対して第２のミスト吹付装置２２によりミストを吹き付けることによって、加湿効率を高めることができるので、特に冬期においてサーバー室１０の湿度を良好に保つことができる。
【００３４】
また、この空調設備においては、外気取入口１３がリターンチャンバ１２の下部の壁に開口しているので、リターンチャンバ１２を通って来たリターン空気と外気取入口１３から導入する外気を、リターンチャンバ１２の下部空間で混合しながら床下吹出室１１に導入することができる。その際、主に夏場においては、外気取入口１３の直後に配置した第１のミスト吹付装置２１により、導入した外気に対してミストを吹き付けることで、外気を加湿冷却することができる。また、排気口１４がリターンチャンバ１２の上部の壁に開口しているので、サーバー室１０から排出されて来た空気を排気口１４から排出する排気とリターン空気とに分流し、リターン空気をリターンチャンバ１２に流通させることができる。その際、主に冬場においては、リターンチャンバ１２の上部と下部の中間に配置した第２のミスト吹付装置２２により、温度の高いリターン空気に対してミストを吹き付けることで、効率よくリターン空気を加湿冷却することができる。また、第１または第２のミスト吹付装置２２によって加湿された空気は、下部連通口１６の付近にある除湿材１７によって除湿された上で床下吹出室１１に導入されるので、良好な湿度に保たれた調和処理空気をサーバー室１０に給気することができる。また、サーバー室１０から排出される温度の高い空気は、上部連通口１５の付近の再生位置に配置された除湿材１７を通過するので、除湿材１７の除湿機能を再生させることができる。
【００３５】
また、この空調設備においては、除湿位置１８Ａに配する除湿材１７と再生位置１８Ｂに配する除湿材１７を交換できるようしたので、除湿能力が飽和した除湿材１７を再生位置１８Ｂに配置し、既に再生位置に配することで除湿能力が再生した除湿材１７を除湿位置１８Ａに配置することができ、それにより常に除湿能力を継続して発揮させることができる。また、シリカゲルやゼオライト等に比べて低温再生性に優れた高分子収集材を除湿材として用いているので、サーバー室１０から排出される高めの温度の排気によって十分に除湿機能を再生させることができる。
【００３６】
以上のように、この空調設備によれば、発熱度の高いサーバー等の電子機器が多数設置されたサーバー室１１０の内部を、外気冷房を有効活用することにより、省エネを図りながら適切な稼働環境に保つことができる。
【００３７】
＜第２実施形態＞
図２は第２実施形態の空調設備の構成と空気の流れを示す図で、（ａ）は空調設備の平面図、（ｂ）および（ｃ）は（ａ）のＩＩｂｃ−ＩＩｂｃ矢視断面図で、（ｂ）は主に冬期に実行される第１の運転モード時の空気の流れを矢印で示す図、（ｂ）は主に夏期に実行される第２の運転モード時の空気の流れを矢印で示す図である。また、図３は第２実施形態の作用説明に使用する空気線図である。
【００３８】
この空調設備は、サーバー等の高発熱の電子機器が設置されたデータセンターのコンピュータ室である空調対象室（以下、「サーバー室」という）１１０と、サーバー室１１０の床１１０Ｆの下に配され、床１１０Ｆを通してサーバー室１１０の内部へ調和処理した空気を吹き出す床下吹出室１１１と、床下吹出室１１１に外気を導入する外気取入口１１３と、外気取入口１１３から床下吹出室１１１へ導入する外気にミストを吹き付ける第１のミスト吹付装置（第１のミストノズル）１２１と、サーバー室１１０の空気を外部に排出する排気口１１４と、サーバー室１１０の壁１１０Ｗの外側に配され、上部連通口１１５Ａによりサーバー室１１０の上部空間に連通し且つ下部連通口１１６Ａにより床下吹出室１１１に連通し、上部連通口１１５Ａを通してサーバー室１１０から排出されてくる空気を下部連通口１１６Ａを通して床下吹出室にリターンさせる第１のリターンチャンバ１１２Ａと、第１のリターンチャンバ１１２Ａを通過するリターン空気にミストを吹き付ける第２のミスト吹付装置（第２のミストノズル）１２２と、サーバー室１１０の壁１１０Ｗの外側に第１のリターンチャンバ１１２とは別に設けられ、上部連通口１１５Ｂによりサーバー室１１０の上部空間に連通し且つ下部連通口１１６Ｂにより床下吹出室１１１に連通し、上部連通口１１５Ｂを通してサーバー室１１０から排出される空気を下部連通口１１６Ｂを通して床下吹出室１１１にリターンさせる第２のリターンチャンバ１１２Ｂと、第２のリターンチャンバ１１２Ｂ内に設置され、上部連通口１１５Ｂを通してサーバー室１１０から排出される空気を調和処理した上で下部連通口１１６Ｂを通して床下吹出室１１１に送出する空調機１５０と、を備えている。
【００３９】
サーバー室１１０の内部には、間隔をおいて複数のサーバーラック１０１が配列されている。また、サーバー室１１０の床１１０Ｆは、床下吹出室１１１からの風が吹き抜けるよう通風性が確保されている。また、ミスト吹付装置１２１、１２２は、通過空気に対してミクロンレベルの水蒸気ミストを吹き付けることができるようになっている。
【００４０】
外気取入口１１３は第１のリターンチャンバ１１２Ａの下部の壁に開口され、排気口１１４は第１のリターンチャンバ１１２Ａの上部の壁に開口されている。第１のミスト吹付装置１２１は、第１のリターンチャンバ１１２と床下吹出室１１１とを連通する下部連通口１１６Ａより上流側の外気取入口１１３の直後に配置され、第２のミスト吹付装置１２２は、第１のリターンチャンバ１１２の上部と下部の中間に配置されている。
【００４１】
また、第２のリターンチャンバ１１２Ｂと床下吹出室１１１とを連通する下部連通口１１６Ａの付近に除湿材の除湿位置１１８Ａが設定されており、その除湿位置１１８Ａに、通過空気を除湿するための除湿材１１７が配置されている。また、第２のリターンチャンバ１１２とサーバー室１１０とを連通する上部連通口１１５Ｂの付近に除湿材の再生位置１１８Ｂが設定されており、その再生位置１１８Ｂに通過空気により除湿機能の再生が行われる除湿材１１７が配されている。２つの除湿材１１７は、例えば、それぞれ上下方向に延びるガイド１１８に沿って上下方向に移動できるようになっており、一方の除湿材１１７を除湿位置１１８Ａに移動すると、他方の除湿材１１７が再生位置１１８Ｂに移動し、一方の除湿材１１７を再生位置１１８Ｂに移動すると、他方の除湿材１１７が除湿位置１１８Ａに移動し、相互に位置を交換できるようになっている。なお、除湿材１１７としては、低温再生性の優れた高分子収集材が採用されている。この高分子収集材は、例えば２０℃〜８０℃の温度で除湿機能を再生することができるものであり、コンピュータ室のような高温環境を冷却した後の排気で十分に除湿機能を回復することができる。
【００４２】
この場合、サーバー室１１０は平面視長方形の部屋として構成されており、サーバー室１１０の一方の対向２壁の外側に第１のリターンチャンバ１１２Ａが設けられると共に、サーバー室１１０の他方の対向２壁の外側に第２のリターンチャンバ１１２Ｂが設けられている。そして、第１のリターンチャンバ１１２Ａの下部連通口１１６Ａを通過した空気と第２のリターンチャンバ１１２Ｂの下部連通口１１６Ｂを通過した空気とが床下吹出室１１１で混合された上でサーバー室１１０に吹き出されるようになっている。
【００４３】
また、この空調設備には、次の第１の運転モードと第２の運転モードを択一的に切り替える運転モード選択手段が備わっている。
即ち、図２（ｂ）に示す冬期や一部の中間期に実施する第１運転モードでは、外気取入口１１３から外気を床下吹出室１１１に導入し、サーバー室１１０から排出される空気のうち、外気取入口１１３から導入した外気の量に見合った量の空気を排気口１１４を通して外部に排出すると共に、残りの空気を第１のリターンチャンバ１１２Ａを通して床下吹出室１１１にリターンさせ、そのリターン空気に第２のミスト吹付装置１２２によりミストを吹き付ける。また、図２（ｃ）に示す夏期や一部の中間期に実施する第２の運転モードでは、外気取入口１１３から外気を床下吹出室１１１に導入し、導入する外気に第１のミスト吹付装置１２１によりミストを吹き付けると共に、サーバー室１１０から排出される空気のうち、外気取入口１１３から導入した外気の量に見合った量の空気を排気口１１４を通して外部に排出し、残りの空気を第２のリターンチャンバ１１２Ｂを通して空調機１５０により調和処理しながら床下吹出室１１１にリターンさせ、その際、第２のリターンチャンバ１１２Ｂの下部連通口１１６Ｂに配した除湿材１１７により通過空気を除湿し、第２のリターンチャンバ１１２Ｂの上部連通口１１５Ｂに配した除湿材１１７の除湿機能を通過空気により再生させる。
【００４４】
このように、冬期と夏期に運転モードを切り替えることにより、通年にわたり外気冷房の効果を発揮することができて、省エネを図ることができる。即ち、冬期や中間期の一部では、第１の運転モードを選択することにより、外気取入口１１３から乾燥した低温の外気を床下吹出室１１１に導入し、導入外気量に見合った量の空気を排気口１１４から排出する。また、残りの空気を第１のリターンチャンバ１１２を通して床下吹出室１１１にリターンし、リターン空気に第２のミスト吹付装置１２２からミストを吹き付けることにより、加湿と冷却を行う。この際、温度の高いリターン空気にミストを吹き付けるので、加湿効率を高めることができ、サーバー室１１０の温度と湿度を良好に保つことができる。また、夏期と中間期の一部では、第２の運転モードを選択することにより、外気取入口１１３から外気を床下吹出室１１１に導入し、その導入する外気に第１のミスト吹付装置１２１からミストを吹き付けて外気を加湿冷却する。このようにミストの吹き付けにより冷却効果を発揮するので、省エネを図ることができる。また、空調対象室からの排気のうち、外気取入口１１３から導入した外気の量に見合った量の空気を排気口を通して外部に排出し、残りの空気を第２のリターンチャンバ１１２Ｂを通して空調機１５０により調和処理しながら床下吹出室１１１にリターンさせる。その際、第２のリターンチャンバ１１２Ｂの下部連通口１１６Ｂに配した除湿材１１７により通過空気を除湿し、第２のリターンチャンバ１１２Ｂの上部連通口１１５Ｂに配した除湿材１１７の除湿機能を通過空気により再生させる。こうすることにより、外気冷房では足りない能力を空調機１５０で補うことができ、サーバー室１１０を良好な温湿度環境に保つことができる。
【００４５】
また、この空調設備においては、外気取入口１１３が第１のリターンチャンバ１１２Ａの下部の壁に開口しているので、第１のリターンチャンバ１１２を通って来たリターン空気と外気取入口１１３から導入する外気を、第１のリターンチャンバ１１２の下部空間で混合しながら床下吹出室１１１に導入することができる。その際、主に夏場においては、外気取入口１１３の直後に配置した第１のミスト吹付装置１２１により、導入した外気に対してミストを吹き付けることで、外気を加湿冷却することができる。また、排気口１１４が第１のリターンチャンバ１１２の上部の壁に開口しているので、サーバー室１１０から排出されて来た空気を排気口１１４から排出する排気とリターン空気とに分流し、リターン空気を第１のリターンチャンバ１１２に流通させることができる。その際、主に冬場においては、第１のリターンチャンバ１１２の上部と下部の中間に配置した第２のミスト吹付装置１２２により、温度の高いリターン空気に対してミストを吹き付けることで、効率よくリターン空気を加湿冷却することができる。
【００４６】
また、この空調設備においては、ミスト吹付装置１２１、１２２を備えた第１のリターンチャンバ１１２Ａとは別に、空調機１５０を備えた第２のリターンチャンバ１１２Ｂが設けられており、その第２のリターンチャンバ１１２Ｂの下部連通口１１６Ｂの付近に除湿材１１７が配置されているので、例えば、夏期において、空調機１５０により調和処理し除湿したリターン空気と、第１のミスト吹付装置１２１によるミストの吹き付けにより加湿冷却された外気とを床下吹出室１１１で混合しながら、サーバー室１１０に給気することができる。しかも、平面視長方形のサーバー室１１０の一方の対向２壁の外側に外気冷房用の第１のリターンチャンバ１１２Ａを配置し、他方の対向２壁の外側に空調機１５０を備えた第２のリターンチャンバ１１２Ｂを配置し、第１のリターンチャンバ１１２Ａと第２のリターンチャンバ１１２Ｂを経由するリターン空気や外気を床下吹出室１１１で合流させるので、外気冷房を有効に活用しながら不足する冷房分を空調機で補うことができる。
【００４７】
また、この空調設備においては、除湿位置１１８Ａに配する除湿材１１７と再生位置１１８Ｂに配する除湿材１１７を交換できるようしたので、除湿能力が飽和した除湿材１１７を再生位置１１８Ｂに配置し、既に再生位置に配することで除湿能力が再生した除湿材１１７を除湿位置１１８Ａに配置することができ、それにより常に除湿能力を継続して発揮させることができる。また、シリカゲルやゼオライト等に比べて低温再生性に優れた高分子収集材を除湿材として用いているので、サーバー室１１０から排出される高めの温度の排気によって十分に除湿機能を再生させることができる。
【００４８】
以上のように、この空調設備によれば、発熱度の高いサーバー等の電子機器が多数設置されたサーバー室１１０の内部を、外気冷房を有効活用することにより、省エネを図りながら適切な稼働環境に保つことができる。
【００４９】
以下に図３の空気線図を用いて説明する。
空気線図上において、基本線Ｘ−Ｘは、サーバー室１１０への給気温度・湿度と排気温度・湿度を示す。サーバー室１１０への給気と排気はこの基本線Ｘ−Ｘ上を基本的に動く。例えば、サーバー室１１０への給気条件が温度１７℃、湿度７０％であるとすると、サーバー室１１０の発熱状態により異なるが、サーバー室１１０からの排気は温度３０℃、湿度３２％となる。
【００５０】
冬期のように空気線図上において外気がｃの状態である場合は、次のように運転される。即ち、外気が基本線Ｘ−Ｘより下の領域では、運転モードは加湿運転モードとなる。その場合は、外気取入口１１３から外気を取り入れ、且つ、取り入れた外気と同じ量の空気を排気口１１４から捨てる。また、リターン空気は、第１のリターンチャンバ１１２Ａに入り、第２のミスト吹付装置１２２により加湿され、外気取入口１１３から取り入れられた外気と混合され、混合された空気が、床下吹出室１１１からサーバー室１１０へ供給される。その際、空気線図の動きは、ｂの状態のリターン空気が加湿されることでｄの状態となる。外気はｃの状態であるから、ｄとｃが床下で混合してａの給気条件となる。
【００５１】
また、一部の中間期のように空気線図上において外気がｆの状態である場合は、次のように運転される。即ち、外気が基本線Ｘ−Ｘより下の領域では、運転モードは加湿運転モードとなる。その場合は、外気取入口１１３から外気を取り入れ、且つ、取り入れた外気と同じ量の空気を排気口１１４から捨てる。また、リターン空気は、第１のリターンチャンバ１１２Ａに入り、第２のミスト吹付装置１２２により加湿され、外気取入口１１３から取り入れられた外気と混合され、混合された空気が床下吹出室１１１からサーバー室１１０へ供給される。その際、空気線図の動きは、ｂの状態のリターン空気が加湿されることでｅの状態となる。外気はｆの状態であるから、ｅとｆが床下で混合してａの給気条件となる。
【００５２】
また、夏期のように空気線図上において外気がｇの状態である場合は、次のように運転される。即ち、外気が基本線Ｘ−Ｘより上の領域では、運転モードは噴霧冷却と除湿冷風の混合運転モードとなる。その場合は、外気取入口１１３から外気を取り入れ、且つ、取り入れた外気と同じ量の空気を排気口１１４から捨てる。また、外気取入口１１３から取り入れた外気を第１のミスト吹付装置１２１により噴霧冷却する。一方、第２のリターンチャンバ１１２Ｂからのリターン空気は、空調機１５０で温調され除湿材１１７で除湿され、噴霧冷却した外気と床下吹出室１１１で混合されて、サーバー室１１０へ供給される。その際、空気線図の動きは、ｇの状態の外気が噴霧冷却されることでｈの状態となり、一方、空調機１５０からの冷風が除湿材１１７で除湿されことによりｉの状態となり、ｉとｈが床下で混合されることでｊとなり、ｊの条件でサーバー室１１０へ冷風が床下から供給される。
【００５３】
また、一部の中間期のように空気線図上においては外気がｋの状態である場合は、次のように運転される。即ち、外気が基本線Ｘ−Ｘより上の領域では、運転モードは噴霧冷却と除湿冷風の混合運転モードとなる。その場合は、外気取入口１１３から外気を取り入れ、且つ、取り入れた外気と同じ量の空気を排気口１１４から捨てる。また、外気取入口１１３から取り入れた外気を第１のミスト吹付装置１２１により噴霧冷却する。一方、第２のリターンチャンバ１１２Ｂからのリターン空気は、空調機１５０で温調され除湿材１１７で除湿され、噴霧冷却した外気と床下吹出室１１１で混合されて、サーバー室１１０へ供給される。その際、空気線図の動きは、ｋの状態の外気が噴霧冷却されることでｌの状態となり、一方、空調機１５０からの冷風が除湿されることによりｉの状態となり、ｉとｌを床下で混合されることでｍの状態となり、ｍの空気条件でサーバー室１１０冷風が床下から供給される。
【符号の説明】
【００５４】
１０  サーバー室（空調対象室）
１１  床下吹出室
１２  リターンチャンバ
１３  外気取入口
１４  排気口
１５  上部連通口
１６  下部連通口
１７  除湿材
１８Ａ  除湿位置
１８ｂ  再生位置
２１  第１のミスト吹付装置
２２  第２のミスト吹付装置
１１０  サーバー室（空調対象室）
１１１  床下吹出室
１１２Ａ  第１のリターンチャンバ
１１２Ｂ  第２のリターンチャンバ
１１３  外気取入口
１１４  排気口
１１５Ａ，１１５Ｂ  上部連通口
１１６Ｂ，１１６Ｂ  下部連通口
１１７  除湿材
１１８Ａ  除湿位置
１１８ｂ  再生位置
１２１  第１のミスト吹付装置
１２２  第２のミスト吹付装置
１５０  空調機
【図１】
0005677189.tif 000002
【図２】
0005677189.tif 000003
【図３】
0005677189.tif 000004